(57)【要約】【課題】フリーアクセスフロアの使い勝手が悪化することを防止することができると共に、フリーアクセスフロアの構造が複雑化することを防止でき、かつ、空調機が消費するエネルギーを軽減することに貢献することができるフリーアクセスフロアパネルを提供する。【解決手段】床吹出し空調方式のフリーアクセスフロア２２に用いられるフロアパネル２０には、下方から上方に通風可能な貫通孔２０ａを有すると共に、前記貫通孔２０ａが通風可能な状態となるように蓄熱材２６を設けた。【効果】フリーアクセスフロアの使い勝手が悪化することを防止することができると共に、フリーアクセスフロアの構造が複雑化することを防止でき、かつ、空調機が消費するエネルギーを軽減することに貢献することができる。【選択図】図１
2011208402.tif 000002
【特許請求の範囲】
【請求項１】
床吹出し空調方式のフリーアクセスフロアに用いられ、下方から上方に通風可能な貫通孔を有すると共に、前記貫通孔が通風可能な状態となるように蓄熱材を設けたことを特徴とするフロアパネル。
【請求項２】
前記蓄熱材を、中空状に形成された内部に設けたことを特徴とする請求項１に記載のフロアパネル。
【請求項３】
前記蓄熱材を、底面に設けたことを特徴とする請求項１に記載のフロアパネル。
【請求項４】
前記蓄熱材を設けた固定部材を取り付けたことを特徴とする請求項１に記載のフロアパネル。
【発明の詳細な説明】
【技術分野】
【０００１】
本発明は、床吹出し空調方式のフリーアクセスフロアに用いられるフロアパネルに関するものである。
【背景技術】
【０００２】
従来から、部屋の床下に空間を設け、その空間に各種電子機器のコード等を通すことができる構造になっているフリーアクセスフロアにおいて、そのフロアパネルにあけた孔を通って床下から床上に空気が吹き出して、部屋の暖房や冷房等の空調を行うことができる構造になっている、床吹出し空調方式のフリーアクセスフロアがあった。
【０００３】
また、このような床吹出し空調方式のフリーアクセスフロアにおいて、フロアパネルの下方に蓄熱材を配置して、床下から吹き出す空気を、蓄熱材から放熱される高温度や低温度の熱により、暖めたり冷やしたりすることができる方式のものがあった（例えば、特許文献１参照）。
【０００４】
このような床吹出し空調方式のフリーアクセスフロアによれば、安価な夜間電力を利用して蓄熱材に高温度や低温度の熱を蓄熱し、昼間にこの高温度や低温度の熱を放熱して、床下から吹き出す空気を暖めたり冷やしたりすることができる。このため、蓄熱材を用いない場合に比べて、昼間の部屋の空調を行うときに空調機が消費するエネルギーを軽減することができる。
【先行技術文献】
【特許文献】
【０００５】
【特許文献１】特開２００９−１２１７３５号公報
【発明の概要】
【発明が解決しようとする課題】
【０００６】
しかしながら、上記従来の床吹出し空調方式のフリーアクセスフロアにおいては、特許文献１の図１に示すように、フロアパネルの下方に、支柱部１７の上端部間にわたされた吊り下げシャフト１８に、板状蓄熱部材１０が吊り下げられて配置された蓄熱部材支持体１５が設けられている。
【０００７】
このため、フロアパネルの下方空間に、各種電子機器のコード等を通したいときは、フロアパネルを外すだけでなく、上記のような、支柱部１７、吊り下げシャフト１８、板状蓄熱部材１０等を有する蓄熱部材支持体１５も、他の場所に一度移動させる必要があり、フリーアクセスフロアの使い勝手が著しく悪化するという問題があった。
【０００８】
また、上記従来の床吹出し空調方式のフリーアクセスフロアにおいては、上記のような、支柱部１７、吊り下げシャフト１８、板状蓄熱部材１０等を有する蓄熱部材支持体１５を備えているため、フリーアクセスフロアの構造が複雑化するという問題があった。
【０００９】
そこで本発明は、上記問題点に鑑みて、フリーアクセスフロアの使い勝手が悪化することを防止することができると共に、フリーアクセスフロアの構造が複雑化することを防止でき、かつ、空調機が消費するエネルギーを軽減することに貢献することができるフロアパネルを提供することを課題とするものである。
【課題を解決するための手段】
【００１０】
上記課題を解決するために、本発明によるフロアパネルは、
床吹出し空調方式のフリーアクセスフロアに用いられ、下方から上方に通風可能な貫通孔を有すると共に、前記貫通孔が通風可能な状態となるように蓄熱材を設けたことを特徴とするものである。
【００１１】
また、本発明によるフロアパネルは、
前記蓄熱材を、中空状に形成された内部に設けたことを特徴とするものである。
【００１２】
また、本発明によるフロアパネルは、
前記蓄熱材を、底面に設けたことを特徴とするものである。
【００１３】
また、本発明によるフロアパネルは、
前記蓄熱材を設けた固定部材を取り付けたことを特徴とするものである。
【発明の効果】
【００１４】
このような本発明のフロアパネルによれば、
床吹出し空調方式のフリーアクセスフロアに用いられ、下方から上方に通風可能な貫通孔を有すると共に、前記貫通孔が通風可能な状態となるように蓄熱材を設けたことにより、
フリーアクセスフロアの使い勝手が悪化することを防止することができると共に、フリーアクセスフロアの構造が複雑化することを防止でき、かつ、空調機が消費するエネルギーを軽減することに貢献することができる。
【図面の簡単な説明】
【００１５】
【図１】本発明の第１の実施の形態に係るフロアパネル２０を用いたフリーアクセスフロア２２を設置した部屋３０を示す断面図である。
【図２】図１中のフロアパネル２０を示す上面図である。
【図３】図２に示すフロアパネル２０の下面図である。
【図４】図３に示すフロアパネル２０のＡ−Ａ線矢視断面図である。
【図５】本発明の第２の実施の形態に係るフロアパネル５０を示すその下面図である。
【図６】図５に示すフロアパネル５０のＢ−Ｂ線矢視断面図である。
【図７】本発明の第３の実施の形態に係るフロアパネル６０を示すその下面図である。
【図８】図７に示すフロアパネル６０のＣ−Ｃ線矢視断面図である。
【図９】本発明の第４の実施の形態に係るフロアパネル７０を示すその下面図である。
【図１０】図９に示すフロアパネル７０のＤ−Ｄ線矢視断面図である。
【図１１】本発明の第５の実施の形態に係るフロアパネル８０を示すその下面図である。
【図１２】図１１に示すフロアパネル８０のＥ−Ｅ線矢視断面図である。
【図１３】本発明の第６の実施の形態に係るフロアパネル９０を示すその下面図である。
【図１４】本発明の第７の実施の形態に係るフロアパネル１００を示すその下面図である。
【図１５】本発明の第８の実施の形態に係るフロアパネル１１０を示すその下面図である。
【図１６】本発明の第９の実施の形態に係るフロアパネル１２０を示す側面断面図である。
【図１７】図１６に示すフロアパネル１２０のＦ−Ｆ線矢視図である。
【図１８】本発明の第１０の実施の形態に係るフロアパネル１３０を示す側面断面図である。
【図１９】図１８に示すフロアパネル１３０のＧ−Ｇ線矢視図である。
【発明を実施するための形態】
【００１６】
以下、本発明に係るフロアパネルを実施するための形態について、図面に基づいて具体的に説明する。
図１から図４は、本発明の第１の実施の形態に係るフロアパネル２０について説明するために参照する図である。
【００１７】
図１に示すように、第１の実施の形態に係るフロアパネル２０は、支持脚２４と共に、フリーアクセスフロア２２を構成するものであり、その上面の平面形状が略正方形であり、その内部には空間を有し、その内部の空間には蓄熱材２６が一体的に設けられている。
【００１８】
このフロアパネル２０は、その四隅を下側から、部屋３０のコンクリート面３０ａ上に立設された支持脚２４により、支持されている。そして、フロアパネル２０は、コンクリート面３０ａの上方の水平面上に縦横に互いに隣り合うように整列して、複数配置されるものであり、その支持脚２４からの着脱を可能とするものである。
【００１９】
そして、フロアパネル２０は、図１に示すように、部屋３０の室内下部に敷設されて、部屋３０をそのフロアパネル２０より下方の床下空間３０ｂと、そのフロアパネル２０より上方の床上空間３０ｃとの２つの空間に分けている。このため、部屋３０の床下空間３０ｂに、各種電子機器のコード等を通すことができる構造になっている。
【００２０】
そして、部屋３０は、その床下空間３０ｂの壁面には給気口３０ｄが形成され、その床上空間３０ｃの壁面上部には排気口３０ｅが形成されている。
【００２１】
この部屋３０の給気口３０ｄと排気口３０ｅはそれぞれ、不図示のエアーダクトと連通しており、部屋３０の外部に設置されている空調機２８と繋がっている。この空調機２８により、温度の調整等がされた空気が給気口３０ｄから床下空間３０ｂ内に供給されるようになっている。
【００２２】
また、図１に示すように、フロアパネル２０には、下方から上方に空気を通す貫通孔２０ａが複数形成されている。また、フロアパネル２０の上には、複数のタイルカーペット３２が、水平面上に縦横に互いに隣り合うように整列して複数配置されている。このタイルカーペット３２には、フロアパネル２０の貫通孔２０ａと連通して、下方から上方に空気を通す通気孔３２ａが複数形成されている。
【００２３】
このため、フリーアクセスフロア２２は、空調機２８から供給された空気が、フロアパネル２０に形成された貫通孔２０ａと、タイルカーペット３２に形成された通気孔３２ａとを通って、床下から床上に吹き出すことにより、部屋の暖房や冷房等の空調を行なうことができる床吹出し空調方式の構造になっている。
【００２４】
フロアパネル２０は、図４に示すように、トップシート３４と、ボトムシート３６により構成されている。これらのトップシート３４とボトムシート３６は共に鋼板材を用いて形成されている。
【００２５】
図２に示すように、フロアパネル２０のトップシート３４は、前述したように、その平面形状が略正方形であり、このトップシート３４には、その厚さ方向に貫通する、その長さ方向がトップシート３４のいずれかの側辺に対して略平行な長孔状の貫通孔３４ａが複数形成されている。
【００２６】
図４に示すように、フロアパネル２０のボトムシート３６は、その外周部より内側に箱状の補強部３８が形成されている。このボトムシート３６の補強部３８の周部より内側には、その強度を向上させるために、そのもっとも下側に位置する最下面３８ａからトップシート３４側（図中上側）に深さを有する段差面３８ｂが形成されており、その段差面３８ｂには、多数箇所に、トップシート３４に向かって突出する補強形状部４０が複数形成されている。
【００２７】
このボトムシート３６の補強形状部４０は、図４に示すように、プレス絞り加工により、略半球状に形成されており、この補強形状部４０のトップシート３４に向かって突出した先端部には、平端部４２が形成されている。すなわち、補強形状部４０の開口径は、フロアパネル２０の裏面側のボトムシート３６の段差面３８ｂにおいて最も大きく、トップシート３４側（図中上側）に向かうにつれて小さくなっている。
【００２８】
また、図３に示すように、ボトムシート３６の補強形状部４０は、その内周面４０ｃに、補強形状部４０を貫通する６つの楕円状の貫通孔４０ａが、その長軸が平端部４２から放射状に並んで形成されている。
【００２９】
図４に示すように、フロアパネル２０のボトムシート３６は、その外周部に形成されたフランジ部３８ｃと、補強形状部４０の先端の平端部４２とが、トップシート３４に当接し、これらの当接部分を、溶接により接合するようになっている。このため、フロアパネル２０は、トップシート３４とボトムシート３６との間の内部に空間を有する中空形状になっている。
【００３０】
そして、フロアパネル２０が溶接により一体的に構成される前には、図４に示すように、蓄熱材２６が、ボトムシート３６の補強形状部４０の外周面４０ｂを含まない上面３８ｄに固定されている。
【００３１】
このため、フロアパネル２０のトップシート３４とボトムシート３６とが、溶接により一体的に構成されると、フロアパネル２０の内部の空間に蓄熱材２６が一体的に固定されることになる。
【００３２】
ここで、蓄熱材２６は、ゲル状に形成された潜熱蓄熱材を、その全ての外面を包装袋で覆うことにより、折曲げなどの変形を可能とする略矩形の板状になっている。この潜熱蓄熱材の素材としては、例えば、パラフィンなどの相変化物質が用いられる。
【００３３】
そして、蓄熱材２６は、図３及び図４に示すように、貫通孔３４ａ，４０ａを完全に塞ぐことがないようにフロアパネル２０内部に設置されている。そのため、ボトムシート３６の貫通孔４０ａと、トップシート３４の貫通孔３４ａとを通じて、空気が流れるのを阻害しないように通風可能な状態となっている。このとき、蓄熱材２６は接着等の手段により固定することが望ましい。
【００３４】
そして、フロアパネル２０は、ボトムシート３６の貫通孔４０ａと、トップシート３４の貫通孔３４ａとが合わさって、図１におけるフロアパネル２０の貫通孔２０ａを構成し、フロアパネル２０の下方から上方に空気を通すようになっている。
【００３５】
このため、フロアパネル２０の下方から上方に空気が通る際には、トップシート３４とボトムシート３６とで形成された空間を通るので、その空間に固定された蓄熱材２６から放熱される高温度や低温度の熱により、フロアパネル２０を通る空気を暖めたり冷やしたりすることができる。このためその分、空調機２８が消費するエネルギーを軽減することができる。
【００３６】
また、フロアパネル２０は、蓄熱材２６がその内部に一体的に固定される構成となっているので、例えば、床下に新たに電子機器のコードを通す場合には、着脱可能となっているフロアパネル２０のみを取り外すだけで作業をすることができるので、配線作業の効率が従来と変わらないものとなる。このため、フリーアクセスフロア２２の使い勝手が悪化することを防止することができる。
【００３７】
また、フロアパネル２０は、その設置をする前に蓄熱材２６が一体的に固定される構成となっているので、例えば、フロアパネル２０の設置作業を行なう場合には、運搬や設置の際に蓄熱材２６がフロアパネル２０から離れることがないので、運搬や設置の効率が従来と変わらないものとなる。このような点においても、フリーアクセスフロア２２の使い勝手が悪化することを防止することができる。
【００３８】
このような本発明の、第１の実施の形態に係るフロアパネル２０によれば、フロアパネル２０の下方から上方に空気を通す貫通孔２０ａが形成されると共に、その貫通孔２０ａを塞がないようにフロアパネル２０の内部の空間に蓄熱材２６を一体的に設けたことにより、フリーアクセスフロア２２の使い勝手が悪化するのを防止することができると共に、空調機２８が消費するエネルギーを軽減することができる。
【００３９】
また、このような本発明のフロアパネル２０によれば、フリーアクセスフロア２２はフロアパネル２０と支持脚２４の他には、フロアパネル２０とコンクリート面３０ａとの間に、従来のような別の部材や構造を全く必要としないので、フリーアクセスフロア２２の構造が複雑化するのを防止することができる。
【００４０】
図５及び図６は、本発明の第２の実施の形態に係るフロアパネル５０について説明するために参照する図である。
【００４１】
前記第１の実施の形態に係るフロアパネル２０における蓄熱材２６は、図３に示すように、補強形状部４０の四方を囲むように、縦横に互いに間隔をおいて整列して複数配置され、互いに隣合う補強形状部４０の間に１つずつ配置されるようになっていたのに対して、この第２の実施の形態に係るフロアパネル５０における蓄熱材５２は、図５に示すように、互いに隣合う補強形状部４０の間に各２つずつ、縦横に互いに間隔をおいて整列して複数配置される点において、前記第１の実施の形態と異なっている。
【００４２】
また、前記第１の実施の形態に係るフロアパネル２０における蓄熱材２６は、その長さ中央部の幅方向が、ボトムシート３６の上面３８ｄに略平行になるよう、その上方に配置されるようになっていたのに対して、この第２の実施の形態に係るフロアパネル５０における蓄熱材５２は、図６に示すように、蓄熱材５２の長さ中央部の表裏両面の一方が、補強形状部４０の外周面４０ｂに沿うように接着すると共に、蓄熱材５２の両端部がその長さ中央部から捻れながらボトムシート３６の上面３８ｄに接着するようになっている。
【００４３】
このような本発明の、第２の実施の形態に係るフロアパネル５０によれば、前記第１の実施の形態と同様の効果を有する他に、蓄熱材５２の長さ中央部を補強形状部４０の外周面４０ｂに密着させることができるので、フロアパネル５０を通る空気をより効果的に暖めたり冷やしたりすることができる。
【００４４】
図７及び図８は、本発明の第３の実施の形態に係るフロアパネル６０について説明するために参照する図である。
【００４５】
前記第１及び第２の実施の形態に係るフロアパネル２０，５０における蓄熱材２６，５２は、図３及び図５に示すように、補強形状部４０の四方を囲むように、縦横に互いに間隔をおいて整列して複数配置され、互いに隣合う補強形状部４０の間に配置されるようになっていたのに対して、この第３の実施の形態に係るフリーアクセスフロア６０における蓄熱材６２は、図７に示すように、補強形状部４０の四方を囲むように、複数の四角孔が形成され、その水平形状が略正方形で、全体で１つのものが配置されるようになっている。
【００４６】
この蓄熱材６２は、図８に示すように、その複数の孔に補強形状部４０の外周面４０ｂを嵌め込むように、外周面４０ｂの上側から載置され、蓄熱材６２の複数の四角孔の各辺の中央部が、外周面４０ｂに点接触し、その点接触部分を接着剤により固定されるようになっている。
【００４７】
このような本発明の、第３の実施の形態に係るフロアパネル６０によれば、前記第１の実施の形態と同様の効果を有する他に、蓄熱材６２は、そのフロアパネル６０への取付作業が、その四角孔の各辺の中央部を１点ずつ固定するだけでよいので、蓄熱材６２の取付作業を容易にすることができる。
【００４８】
なお、この第３の実施の形態に係るフロアパネル６０においては、蓄熱材６２は、補強形状部４０の外周面４０ｂに上側から載置され、蓄熱材６２の四角孔の各辺の中央部が、外周面４０ｂに固定されていたが、ボトムシート３６の補強形状部４０の外周面４０ｂ以外の、段差面３８ｂの裏側の上面３８ｄに接触するよう載置され、その接触部分を接着剤により固定されるようになっていてもよい。
【００４９】
図９及び図１０は、本発明の第４の実施の形態に係るフロアパネル７０について説明するために参照する図である。
【００５０】
前記第１から第３までの実施の形態に係るフロアパネル２０等における蓄熱材２６等は、トップシート３４とボトムシート３６とを接合する際に、フロアパネル２０等の内部に固定されるようになっていたのに対して、この第４の実施の形態に係るフロアパネル７０における蓄熱材７２は、フロアパネル７０のトップシート３４とボトムシート３６とを接合した後においても、フロアパネル７０の内部に固定されることが可能となっている。
【００５１】
すなわち、図９，１０に示すように、ボトムシート３６の側面３８ｅの１つ（図１０中紙面奥側）には、蓄熱材７２をボトムシート３６の内部に入れるための、蓄熱材７２より大きく形成された取付孔７４が複数形成されている。そして、蓄熱材７２は、トップシート３４とボトムシート３６との接合がなされた後に（前でもよい）、この取付孔７４に挿通されてフロアパネル７０の内部に入れられ、固定されるようになっている。
【００５２】
このため、ボトムシート３６の側面３８ｅに取付孔７４を形成したことにより、フロアパネル７０のトップシート３４とボトムシート３６との接合がなされた後であっても、蓄熱材７２を内部に取付けることができる。
【００５３】
また、前記第１から第３までの実施の形態に係るフロアパネル２０等における蓄熱材２６等は、ボトムシート３６の上面３８ｄ等に接着剤により固定されるようになっていたのに対して、この第４の実施の形態に係るフロアパネル７０における蓄熱材７２は、図９及び図１０に示すように、ボトムシート３６に隙間ができるよう互いに対向して形成された係合部７６に、その厚さを有する面を両方から挟みこまれることにより固定されるようになっている。
【００５４】
すなわち、図１０の左端部に示すように、ボトムシート３６の係合部７６は、断面が略矩形状に形成され、ボトムシート３６の上面３８ｄから上方に突き出している。図面中に係合部７６が略三角形に見える部分は、外周面４０ｂより図面中奥の方にあって一部が隠れているためである。
【００５５】
そして、図９に示すように、ボトムシート３６の係合部７６は、その厚さ方向において、２つずつ互いに蓄熱材７２の厚さだけ離れてその隙間を形成される面同士が向かい合うように配置されたものが、その長さ方向に間隔をおいて複数形成されている。
【００５６】
断面が略矩形状に形成された蓄熱材７２が、図１０に示すように、互いに面同士が向かい合う係合部７６の隙間に挟みこまれると共に、その厚さ方向と平行の側面の一方がボトムシート３６の上面３８ｄに接触して突き立つように支持されることにより、フロアパネル７０と一体的に固定されるようになっている。
【００５７】
このような本発明の、第４の実施の形態に係るフロアパネル７０によれば、前記第１の実施の形態と同様の効果を有する他に、ボトムシート３６の上面３８ｄに複数の係合部７６を立上るように形成したことにより、蓄熱材７２をその係合部７６の間に挟み込むだけで固定することができるので、蓄熱材７２の取付作業を容易にすることができる。
【００５８】
図１１及び図１２は、本発明の第５の実施の形態に係るフロアパネル８０について説明するために参照する図である。図１１においては、蓄熱材８２の形状、取り付け位置を分かりやすくするために、補強形状部４０の貫通孔４０ａを省略している。また、以下の図１３から図１５においても、同様に補強形状部４０の貫通孔４０ａを省略している。
【００５９】
前記第１から第４の実施の形態に係るフロアパネル２０等においては、蓄熱材２６等はフロアパネル２０等の内部に一体的に設けられるようになっていたのに対して、この第５の実施の形態に係るフロアパネル８０においては、蓄熱材８２はフロアパネル８０の外部（補強形状部４０の内周面４０ｃ）に一体的に設けられるようになっている。
【００６０】
すなわち、図１１及び図１２に示すように、この第５の実施の形態に係るフロアパネル８０においては、略矩形状に形成された蓄熱材８２は、フロアパネル８０のボトムシート３６に形成された補強形状部４０に各４つずつ、その内周面４０ｃの凹球面に沿うように接触して、その接触部において接着剤により固定されるようになっている。
【００６１】
この４つの蓄熱材８２は、図１１に示すように、その長さ方向が補強形状部４０にその平端部４２から十字放射方向に配置されて、その内周面４０ｃに図中上下左右に１つずつ、互いに９０度ずつ隔てて配置され、固定されている。
【００６２】
このような本発明の、第５の実施の形態に係るフロアパネル８０によれば、前記第１の実施の形態と同様の効果を有する他に、蓄熱材８２は、フロアパネル８０の補強形状部４０の内周面４０ｃに一体的に設けられるので、内周面４０ｃに形成された貫通孔４０ａを通る空気を効率的に暖めたり冷やしたりすることができる。また、フロアパネル８０の外部に取付けるので、フロアパネル８０のトップシート３４とボトムシート３６との接合がなされた後であっても、蓄熱材８２を取付けることができる。
【００６３】
また、図１２に示すように、フロアパネル８０は、蓄熱材８２がその外部に一体的に固定される構成となっているので、例えば、床下に新たに電子機器のコードを通す場合には、フロアパネル８０を取り外すだけで作業をすることができるので、配線作業の効率が悪化することはないため、フリーアクセスフロア２２の使い勝手が悪化することを防止することができる。
【００６４】
図１３は、本発明の第６の実施の形態に係るフロアパネル９０について説明するために参照する図である。
【００６５】
この第６の実施の形態に係るフロアパネル９０における蓄熱材９２は、前記第５の実施の形態に係るフロアパネル８０における蓄熱材８２と同様に、フロアパネル９０の補強形状部４０の内周面４０ｃに固定されるようになっている。
【００６６】
前記第５の実施の形態に係るフロアパネル８０においては、図１１に示すように、４つの略矩形状の蓄熱材８２が、十字状に四つの位置に配置され、固定されるようになっていたのに対して、この第６の実施の形態に係るフロアパネル９０においては、図１３に示すように、４つの略矩形状の蓄熱材９２が、その長さ方向が補強形状部４０の十字状の四方向のそれぞれとは垂直の方向に配置され、すなわち補強形状部４０の内周面４０ｃに略正方形の各辺に相当する位置に配置され、接着剤により固定されるようになっている。
【００６７】
このような本発明の、第６の実施の形態に係るフロアパネル９０によっても、前記第５の実施の形態に係るフロアパネル８０と同様の効果を有することができる。
【００６８】
図１４は、本発明の第７の実施の形態に係るフロアパネル１００について説明するために参照する図である。
【００６９】
この第７の実施の形態に係るフロアパネル１００における蓄熱材１０２は、前記第５の実施の形態に係るフロアパネル８０における蓄熱材８２と同様に、フロアパネル１００の補強形状部４０の内周面４０ｃに固定されるようになっている。
【００７０】
前記第５の実施の形態に係るフロアパネル８０においては、図１１に示すように、４つの略矩形状の蓄熱材８２が、十字状に四つの位置に配置され、固定されるようになっていたのに対して、この第７の実施の形態に係るフロアパネル１００においては、図１４に示すように、略円環板状に形成された１つの蓄熱材１０２が、補強形状部４０の内周面４０ｃに、その平端部４２と同心円上に配置されている。
【００７１】
そして、蓄熱材１０２は、その厚さを有する一方の面がフロアパネル１００の内周面４０ｃに円周状に接触して、その接触部の円周方向の何箇所かにおいて、接着剤により固定されるようになっている。
【００７２】
このような本発明の、第７の実施の形態に係るフロアパネル１００によれば、前記第１の実施の形態と同様の効果を有する他に、蓄熱材１０２は、フロアパネル１００の補強形状部４０への取付作業が、その内周面４０ｃにその円周方向の何箇所かを固定するだけで済むので、蓄熱材１０２の取付作業を容易にすることができる。
【００７３】
図１５は、本発明の第８の実施の形態に係るフリーアクセスフロアパネル１１０について説明するために参照する図である。
【００７４】
この第８の実施の形態に係るフロアパネル１１０における蓄熱材１１２は、前記第５の実施の形態に係るフロアパネル８０における蓄熱材８２と同様に、フロアパネル１１０の補強形状部４０の内周面４０ｃに固定されるようになっている。
【００７５】
前記第５の実施の形態に係るフロアパネル８０においては、図１１に示すように、４つの略矩形状の蓄熱材８２が、十字状に四つの位置に配置され、固定されるようになっていたのに対して、この第８の実施の形態に係るフロアパネル１１０においては、図１５に示すように、その中心角が６０度程度の扇形状に形成された３つの蓄熱材１１２が、その円弧が補強形状部４０の最大開口径の外形円に沿うように、その外形円の内側に配置され、補強形状部４０の内周面４０ｃに、平端部４２を中心として貫通孔４０ａを覆う面積を少なくするような位置に、円周方向に１２０度ずつピッチをおいて配置されている。
【００７６】
このような本発明の、第８の実施の形態に係るフロアパネル１１０によれば、前記第１の実施の形態と同様の効果を有する他に、蓄熱材１１２は、その厚さを有する一方の面が、補強形状部４０の内周面４０ｃに接触して、その接触部の何箇所かにおいて接着剤により固定されるようになっているため、蓄熱材１１２の取付作業を容易にすることができる。
【００７７】
また、３つが各１２０度ずつピッチをおいて配置された蓄熱材１１２は、補強形状部４０の内周面４０ｃに形成された６つの貫通孔４０ａを通る空気を均等に、効率的に暖めたり冷やしたりすることができる。
【００７８】
図１６及び図１７は、本発明の第９の実施の形態に係るフロアパネル１２０について説明するために参照する図である。
【００７９】
前記第１から第８の実施の形態に係るフロアパネル２０等においては、蓄熱材２６等はフロアパネル２０等に直接一体的に設けられるようになっていたが、この第９の実施に係るフロアパネル１２０においては、図１６に示すように、フロアパネル１２０に一体的に設けられた枠体１２４を介して、フロアパネル１２０と一体的に設けられるようになっている。
【００８０】
また、前記第８の実施の形態に係るフロアパネル１１０においては、図１５に示すように、蓄熱材１１２は扇形状に形成されていたのに対して、この第９の実施の形態に係るフロアパネル１２０においては、蓄熱材１２２は、図１７に示すように、それぞれ長短２種類の略矩形の板状に形成されたものが、縦横に間隔をおいて互いに略平行に、複数並んで格子状に組み合わされて配置されている。
【００８１】
また、この蓄熱材１２２は、図１６に示すように、フロアパネル１２０のボトムシート３６より下方に、フロアパネル１２０の最下面３８ａに対して略平行に配置された格子状の枠体１２４の上に、その格子状を構成する部材と同様の位置に配置されている。
【００８２】
図１６に示すように、枠体１２４は、その上端部がフロアパネル１２０の側面３８ｅに取付けられ、一体的に固定されるようになっている。また枠体１２４は、図１７に示すように、フロアパネル１２０の下側に空気を通すための、複数の通気孔１２４ａが形成されるように格子状に形成されており、同じく格子状に形成された蓄熱材１２２を下側から支持すると共に、蓄熱材１２２を枠体１２４の格子状の構成部材に接着剤で固定するようになっている。
【００８３】
このような本発明の、第９の実施の形態に係るフロアパネル１２０によれば、前記第１の実施の形態と同様の効果を有する他に、蓄熱材１２２は、枠体１２４を介して、フロアパネル１２０と一体的に設けられるようになっているため、フロアパネル１２０への蓄熱材１２２の取付作業は、フロアパネル１２０に枠体１２４を取付けるだけで済むので、その取付作業を容易にすることができる。
【００８４】
図１８及び図１９は、本発明の第１０の実施の形態に係るフロアパネル１３０について説明するために参照する図である。
【００８５】
前記第９の実施の形態に係るフロアパネル１２０においては、図１７に示すように、蓄熱材１２２は、それぞれ長短２種類の略矩形の板状に形成されたものが、縦横に間隔をおいて互いに略平行に、複数並んで格子状に組み合わされて形成されていたのに対して、この第１０の実施の形態に係るフロアパネル１３０においては、蓄熱材１３２は、図１８及び図１９に示すように、それぞれ１種類の略矩形の板状に形成されたものが、互いに平行に間隔をおいて、複数並んで配置されるようになっているだけで、格子状に配置されてはいない。
【００８６】
また、前記第９の実施の形態に係るフロアパネル１２０においては、蓄熱材１２２は、その下側を枠体１２４によって支持されると共に、枠体１２４に接着剤で固定されるようになっていたのに対して、この第１０の実施の形態に係るフロアパネル１３０においては、蓄熱材１３２は、図１８に示すように、その幅方向の一方の側面が支持体１３４に接触して突き立つと共に、支持体１３４から上方に突出するように形成された一対の略矩形状の係合部１３４ｂによって、蓄熱材１３２の厚さが挟みこまれることで、支持体１３４上に固定されるようになっている。
【００８７】
また、前記第９の実施の形態に係るフロアパネル１２０においては、枠体１２４は、その下面が空気を通すための複数の略正方形の通気孔１２４ａが形成されていたのに対して、この第１０の実施の形態に係るフロアパネル１３０においては、支持体１３４は、厚さを貫通する複数の円形の通気孔１３４ａが形成されていると共に、その上面に蓄熱材１３２を挟みこむための複数組の係合部１３４ｂが形成された板状に形成されている。
【００８８】
すなわち、図１８及び図１９に示すように、略矩形状に形成された蓄熱材１３２が、互いに面同士が向かい合う支持体１３４の係合部１３４ｂの間に挟みこまれると共に、その幅方向の一方の側面が支持体１３４の上面に接触して突き立つように支持されることで、支持体１３４と一体的に固定されるようになっている。
【００８９】
このような本発明の、第１０の実施の形態に係るフロアパネル１３０によれば、前記第１の実施の形態と同様の効果を有する他に、蓄熱材１３２は支持体１３４を介してフロアパネル１３０と一体的になっていると共に、蓄熱材１３２は支持体１３４の係合部１３４ｂ間に挟みこむだけで支持体１３４と一体的に設けられるので、その取付作業を容易にすることができる。
【００９０】
なお、前記第１から第１０の実施の形態に係るフロアパネル２０等においては、フロアパネル２０等のトップシート３４と、ボトムシート３６とは共に鋼板材を用いて形成されるものであったが、これらの部材はこのような材料に限定される必要はなく、他の材料を用いて形成されるようにしてもよい。
【００９１】
また、フロアパネルの形状についても前記第１から第１０の実施の形態に係るフロアパネル２０等におけるフロアパネル２０等の形状に限定される必要はなく、他の形状に形成されていてもよい。
【００９２】
また、前記第１から第１０の実施の形態に係るフロアパネル２０等においては、フロアパネル２０等は、別部材であるトップシート３４と、ボトムシート３６とが組合されるものであったが、初めから単一部材として形成されるようなものであってもよい。
【００９３】
また、前記第１から第１０の実施の形態に係るフロアパネル２０等においては、蓄熱材２６等はゲル状に形成されていたが、適切な取付手段を用いることにより、蓄熱材２６等は液体状や固体状に形成されていてもよく、または粒状や粉末状に形成されていてもよい。
【００９４】
また、前記第１から第１０の実施の形態に係るフロアパネル２０等においては、蓄熱材２６等は、その全ての外面を包装袋で覆うようになっていたが、その一部を覆うようになっていてもよく、また、包装袋で覆うようになっていなくてもよい。
【００９５】
また、前記第１から第１０の実施の形態に係るフロアパネル２０等においては、蓄熱材２６等は、板状に形成されていたが、この形状に限定される必要はない。また、その表面形状、取付けられる個数、取付けられる位置もこれらの実施の形態に制限される必要はない。
【００９６】
また、前記第１から第１０の実施の形態に係るフロアパネル２０等においては、蓄熱材２６等は、接着剤による接合や、係合部７６等に挟むことによって固定されているものがあったが、他の方法により固定されるようになっていてもよい。例えば、蓄熱材２６等を設置する場所に溝を設けて、蓄熱材２６等を挟みこむようにしてもよい。また、蓄熱材２６等は、固定されていなくてもよい。
【００９７】
また、前記第１から第４の実施の形態に係るフロアパネル２０等においては、蓄熱材２６等は、フロアパネル２０等の内部の、ボトムシート３６の上面３８ｄに取付けられていたが、トップシート３４の下面に取付けるようになっていてもよい。
【００９８】
また、前記第５から第８の実施の形態に係るフロアパネル８０等においては、蓄熱材８２等は、フロアパネル８０等の下面の補強形状部４０の内周面４０ｃに取付けられていたが、最下面３８ａや段差面３８ｂに取付けるようになっていてもよい。
【００９９】
また、前記第１から第８の実施の形態に係るフロアパネル２０等においては、蓄熱材２６等は、内部や補強形状部４０の内周面４０ｃに取付けられていたが、このような位置に限定される必要はない。例えば、フロアパネル２０等の側面に蓄熱材２６等を直接取付けるようにしてもよい。
【０１００】
また、前記第１から第１０の実施の形態に係るフロアパネル２０等においては、フロアパネル２０等は、その内部に空間が形成されていたが、第５から第１０の実施の形態に係るフロアパネル８０等においては、フロアパネル８０等は、その内部に空間を有さない中実状に形成されていてもよい。
【０１０１】
また、前記第９から第１０の実施の形態に係るフロアパネル１２０，１３０においては、枠体１２４や支持体１３４は、フロアパネル１２０，１３０の側面３８ｅにその上端部が固定されていたが、その上端先端部がＬ字状に折れ曲って、フロアパネル１２０，１３０の底面に固定されるようになっていてもよい。
【０１０２】
また、前記第９から第１０の実施の形態に係るフロアパネル１２０，１３０においては、枠体１２４や支持体１３４は、フロアパネル１２０，１３０の側面３８ｅにその上端部が固定されていたが、上端部を設けないようにして、その下側の格子状の部分や、円形の孔があいた板状の部分が、直接フロアパネル１２０，１３０の底面に固定されるようになっていてもよい。
【０１０３】
また、前記第９及び第１０の実施の形態に係るフロアパネル１２０，１３０においては、枠体１２４や支持体１３４は、フロアパネル１２０，１３０と固定される上端部と、その下側の格子状の部分や、円形の孔があいた板状の部分により構成されていたが、このような形状に限定される必要はなく、蓄熱材１２２，１３２をフロアパネル１２０，１３０の下側に設置することができれば、どのような形状をしていてもよい。例えば、枠体１２４の格子状の部分や、支持体１３４の下側の円形の孔があいた板状の部分に相当するものが、金網状に形成されるようになっていてもよい。
【０１０４】
また、実施の形態によっては蓄熱材の一部がフロアパネルに形成した貫通孔の一部と重なるものもあるが、その重なる面積が貫通孔を実質的に通風可能な状態とするような程度であれば、本発明の効果の障害となるものではない。
【符号の説明】
【０１０５】
２０  フロアパネル
２０ａ  貫通孔
２２  フリーアクセスフロア
２４  支持脚
２６  蓄熱材
２８  空調機
３０  部屋
３０ａ  コンクリート面
３０ｂ  床下空間
３０ｃ  床上空間
３０ｄ  給気口
３０ｅ  排気口
３２  タイルカーペット
３２ａ  通気孔
３４  トップシート
３４ａ  貫通孔
３６  ボトムシート
３８  補強部
３８ａ  最下面
３８ｂ  段差面
３８ｃ  フランジ部
３８ｄ  上面
３８ｅ  側面
４０  補強形状部
４０ａ  貫通孔
４０ｂ  外周面
４０ｃ  内周面
４２  平端部
５０，６０，７０  フロアパネル
５２，６２，７２  蓄熱材
７４  取付孔
７６  係合部
８０，９０，１００，１１０  フロアパネル
８２，９２，１０２，１１２  蓄熱材
１２０，１３０  フロアパネル
１２２，１３２  蓄熱材
１２４  枠体
１３４  支持体
１２４ａ，１３４ａ  通気孔
１３４b  係合部
【図１】
2011208402.tif 000003
【図２】
2011208402.tif 000004
【図３】
2011208402.tif 000005
【図４】
2011208402.tif 000006
【図５】
2011208402.tif 000007
【図６】
2011208402.tif 000008
【図７】
2011208402.tif 000009
【図８】
2011208402.tif 000010
【図９】
2011208402.tif 000011
【図１０】
2011208402.tif 000012
【図１１】
2011208402.tif 000013
【図１２】
2011208402.tif 000014
【図１３】
2011208402.tif 000015
【図１４】
2011208402.tif 000016
【図１５】
2011208402.tif 000017
【図１６】
2011208402.tif 000018
【図１７】
2011208402.tif 000019
【図１８】
2011208402.tif 000020
【図１９】
2011208402.tif 000021